(57)【特許請求の範囲】
【請求項１】
吸込み口と、吹出し口を有する筐体内に、電気部品箱と、圧縮機と、ファンコイルと、空気熱交換器と、上記吹出し口と接続して設けられるファンケーシング、このファンケーシングによって囲まれるファン、このファンの回転軸に嵌着されるファンモータからなる送風機とを収容する空気調和装置において、
上記筐体は、内部を水平仕切り板によって上下二段に仕切られ、
上記吸込み口は、上記水平仕切り板によって仕切られた上部室の一側部前面に設けられ、
上記吹出し口は、水平仕切り板によって仕切られた上部室の天板部に設けられ、
上記電気部品箱は、水平仕切り板の下部で、上記吸込み口の下方位置に設けられ、
上記ファンコイルは、上記電気部品箱の上部で、かつ上部室の水平仕切り板上に、上記吸込み口と対向して配置され、
上記空気熱交換器は、上部室の水平仕切り板上で、ファンコイルの空気流通方向下流側に、ファンコイルと並んで配置され、
上記ファンモータは、上部室の天板部に吊持されるとともに、上記ファンコイルおよび空気熱交換器の上方に設けられ、
上記ファンケーシングは、上部室の天板部に吊持されるとともに、上記吹出し口と連通して設けられ、さらに、上記ファンコイルおよび空気熱交換器の上方部とは外れた位置で、この下端部が空気熱交換器の上端部よりも下方位置となるように設けられる
ことを特徴とする空気調和装置。
【請求項２】
上記筐体の水平仕切り板下部側は、垂直仕切り板によって、下部前室と下部後室との前後二室に仕切られ、
上記電気部品箱は下部前室に配置され、上記圧縮機は下部後室に配置され、
上記水平仕切り板は、下部前室と下部後室前端において、下部後室後端よりも高さ位置を低く設定した
ことを特徴とする請求項１記載の空気調和装置。
【請求項３】
上記ファンモータは、モータベースによって、両側面部が支持されるとともに、周面が囲まれ、
上記筐体上部室における天板部下面に、筐体の左右幅方向に所定間隔を存して平行に、筐体の前後方向に亘って一対の案内レールが設けられ、
上記筐体の前面から上記モータベースの上端部を上記案内レールに掛止し、かつ案内レールに沿って押し込み所定部位に到達したとき、モータベースに設けられる位置決め用ストッパが案内レールの端縁に当接することで、ファンモータの位置決めがなされる
ことを特徴とする請求項１記載の空気調和装置。
【発明の詳細な説明】
【技術分野】
【０００１】
本発明は、いわゆる床置きダクトタイプと呼ばれる一体型の空気調和装置に係り、特に各構成部品の配置構造の改良に関する。
【背景技術】
【０００２】
たとえばホテルなどを対象とする業務用として、床置きダクトタイプの空気調和装置が多用される傾向にある。この種の空気調和装置として［特許文献１］には、循環冷媒を介して熱源水と空調用空気を熱交換する水熱源ヒートポンプ式空調機が開示されていて、空調用空気を冷却または加熱して、冷房と暖房および除湿を行うようになっている。  
なお説明すると、ケーシング内を上下に段違いで二段に仕切るとともに、段違い部分を境にしてケーシング内を左右に仕切っている。下段の一方室には水熱源ヒートポンプを構成する圧縮機、水熱交換器などを配置し、下段の他方室（空室部）には水熱源ヒートポンプの電気制御部品を収容する制御装置を配置している。  
上段一方室には空気熱交換器およびファンコイルと加湿器を並行して配置し、上面に吸込みダクトを接続している。上段他方室には送風機を配置していて、この送風機の吸込み口部を室内に開口し、吹出し口部は筐体上面に接続する吹出しダクトと連通している。
【特許文献１】特開２００５−１７２２６４号公報
【発明の開示】
【発明が解決しようとする課題】
【０００３】
このように［特許文献１］によれば、ケーシング内を上下と左右に合計４室に仕切り、圧縮機と水熱交換器、空気熱交換器とファンコイル、制御装置、送風機をそれぞれ配置している。そのため、ケーシング自体が左右の幅方向に大きくなるとともに、上下の高さ方向が高くなる。すなわち、装置全体の寸法が大になって全体的に大型化が避けられない。  
上述したように、この空気調和装置は、たとえばホテルなどを対象とする業務用として備えられ、複数台の空気調和装置を並べて配置したり、複数台の空気調和装置を同一の架台内に組み込んで１ユニットとなし、複数ユニットを専用の機械室に配置している。そのため、単体の空気調和装置の大型化はユニット全体の大型化に影響し、複数ユニットを配置するための機械室は極めて大なるスペースを確保しなければない。
【０００４】
本発明は上記事情に着目してなされたものであり、その目的とするところは、収容する構成部品の配置を考慮して装置本体の小型化を図り、よってユニット化した状態での有利条件を得られるようにした空気調和装置を提供しようとするものである。
【課題を解決するための手段】
【０００５】
上記目的を達成するため本発明は、吸込み口と、吹出し口を有する筐体内に、電気部品箱と、圧縮機と、ファンコイルと、空気熱交換器と、吹出し口と接続するファンケーシング、このファンケーシングで囲まれるファン、このファンの回転軸に嵌着するファンモータからなる送風機とを収容する空気調和装置において、
上記筐体の内部を水平仕切り板によって上下二段に仕切り、上記吸込み口を筐体の水平仕切り板によって仕切られた上部室の一側部前面に設け、上記吹出し口を筐体の水平仕切り板によって仕切られた上部室の天板部に設け、上記電気部品箱を水平仕切り板下部で吸込み口の下方位置に設け、上記ファンコイルを電気部品箱の上部で上部室の水平仕切り板上の吸込み口と対向して配置し、上記空気熱交換器を上部室の水平仕切り板上のファンコイルの空気流通方向下流側にファンコイルと並んで配置し、上記ファンモータを上部室の天板部に吊持するとともに、フンコイルおよび空気熱交換器の上方に設け、上記ファンケーシングを上部室の天板部に吊持するとともに吹出し口と連通して設け、さらにファンコイルおよび空気熱交換器の上方部とは外れた位置で、下端部が空気熱交換器の上端部よりも下方位置となるように設ける。
【発明の効果】
【０００６】
本発明によれば、装置本体の小型化を図り、よってユニット化した状態での有利条件を得られるなどの効果を奏する。
【発明を実施するための最良の形態】
【０００７】
以下、図面を参照しながら、本発明の実施の形態について詳細に説明する。  
図１は床置きダクトタイプの空気調和装置の正面図、図２は同空気調和装置内部を模式的に示す背面図、図３は同空気調和装置内部を模式的に示す側面図である。  
ここで説明する床置きダクトタイプの空気調和装置は、たとえば複数台の空気調和装置を同一の架台内に組み込んで１ユニットとなし、被空調室とは別途備えられる専用の機械室に複数ユニットが配置されるようになっている。  
筐体（本体）１は、金属製の枠体を前後と左右および天地とも矩形状に組立て、その表面に板金からなる板材が取付けられてなる。筐体１の前面略中央部に、吸込みグリル２が着脱自在に嵌め込まれる吸込み口３が設けられる。
【０００８】
筐体１の天板部１ａで、略隅部には吹出し口４が開口されていて、この吹出し口４に一部のみ示す吹出しダクト５が挿入し接続される。上記吹出しダクト５は、機械室から出て被空調室の天井裏へ延出され、天井板に設けられる複数の室内吹出し口に連通するよう分岐される。  
筐体１内は、水平仕切り板６によって上下二段に仕切られるとともに、この水平仕切り板６の下部側は垂直仕切り板７によって前後二室に仕切られる。水平仕切り板６から上部側は仕切られておらず、全てが上部室８Ａとなっている。したがって、筐体１内部は上部室８Ａと、下部前室８Ｂおよび下部後室８Ｃの合計三室を備えている。
【０００９】
上部室８Ａ前面の上記吸込みグリル２と対向する筐体１内部位置に、フィルタ９が着脱自在に取付けられる。上記フィルタ９の背面側に所定間隔を存してファンコイル１１と空気熱交換器１２が並置されていて、これらファンコイル１１と空気熱交換器１２は第１のドレンパン１３上に載置される。第１のドレンパン１３には、図示しないドレンホースが接続される。  
上記筐体天板部１ａ下面には、送風機１５が吊持されている。この送風機１５の具体的な吊持構造については後述する。上記送風機１５は、筐体１の背面側へ突出する回転軸ａを備えたファンモータ１６と、このファンモータ１６の回転軸ａに嵌着固定されるファン１７およびファン１７を囲むファンケーシング１８とから構成される。上記ファン１７は、回転にともなって中心軸方向から空気を吸込んで周方向へ吹出す多翼型をなす。
【００１０】
天板部１ａ下面にはファンケーシング１８が取付けられていて、上記ファン１７の周囲を囲む。上記ファンケーシング１８は、ファンモータ１６の回転軸ａ方向に対向して開口する吸込み口部１８ａと、ファン１７の周部に開口する吹出し口部１８ｂを備えている。ファンケーシング１８の吸込み口部１８ａは上部室８Ａに開口し、吹出し口部１８ｂは天板部１ａに設けられる上記吹出し口４に接続されていて、上記吹出しダクト５と連通する。  
上記送風機１５を駆動することにより、筐体１外部の機械室空気が吸込みグリル２とフィルタ９を介して筐体１内の上部室８Ａに吸込まれる。そして、ファンコイル１１と空気熱交換器１２を流通し、一旦上部室８Ａに充満してから、送風機ファンケーシング１８の吸込み口部１８ａと吹出し口部１８ｂを介して吹出しダクト５に導かれ、被空調室へ吹出されるようになっている。
【００１１】
一方、筐体１内の下部前室は電気部品室８Ｂであって、ここには電気部品箱２０が収容される。この電気部品箱２０は矩形の箱体であり、内部には多数の電気部品と、電気部品を接続する配線コードおよびプリント基板等が収容されている。これらの電気部品等は、後述する冷凍サイクル部の電動部品を電気的に制御するためのものである。  
上記電気部品のほとんどは、作用にともなって発熱するが、たとえばパワートランジスタモジュールのように、特に発熱量の大なる電気部品も含まれる。そこで、特に図示していないが、電気部品箱２０内に放出される電気部品の排熱を、電気部品箱２０外へ排出し、さらに電気部品室８Ｂから上部室８Ａへ導いて、電気部品箱２０内の温度上昇を規制する手段が備えられる。
【００１２】
筐体１内の下部後室８Ｃには圧縮機２１と水対冷媒熱交換器２２Ａと水対水熱交換器２２Ｂ他が配置される。特に、上記水対冷媒熱交換器２２Ａと水対水熱交換器２２Ｂは第２のドレンパン２３上に載置される。この第２のドレンパン２３には、図示しないドレンホースが接続される。さらに、下部後室８Ｃには、図示しない気液分離器、電子膨張弁、三方切換え弁および配管類が配置される。  
上記圧縮機２１、気液分離器、電子膨張弁、水対冷媒熱交換器２２Ａおよび空気熱交換器１２は冷媒管を介して連通され、これらでヒートポンプ式の冷凍サイクル回路を構成する。上記ファンコイル１１、水対冷媒熱交換器２２Ａ、水対水熱交換器２２Ｂは三方切換え弁とともに水配管を介して連通されていて、これらで熱源水循環回路を構成する。
【００１３】
このような床置きダクトタイプの空気調和装置であり、特に図３に示すように、上記電気部品箱２０は吸込み口３の下方位置に設けられ、上記ファンコイル１１は電気部品箱２０の上部で、かつ吸込み口３に対向して設けられる。上記空気熱交換器１２はファンコイル１１の空気流通方向下流側に、ファンコイル１１と並んで設けられる。上記ファンモータ１６はファンコイル１１および空気熱交換器１２の上方に設けられ、上記ファンケーシング１８は下端部が空気熱交換器１２の上端部よりも下方位置となるように設けられる。
【００１４】
しかして、圧縮機２１を駆動して冷凍サイクル運転を開始すると、圧縮機２１において冷媒が圧縮され、冷凍サイクル回路に沿って循環する。同時に、送風機１５が駆動され、筐体１外部の機械室空気が吸込みグリル２からフィルタ９とファンコイル１１を介して空気熱交換器１２に導かれ、ここに循環する冷媒と熱交換する。  
空気熱交換器１２で熱交換した空気は、送風機１５を構成するファンケーシング１８の吸込み口部１８ａと吹出し口部１８ｂから吹出しダクト５に沿って導かれ、被空調室に設けられる室内吹出し口から吹出されて室内の暖房作用もしくは冷房作用をなす。  
通常運転時は、給水源から水配管の水入口に導かれる水は、水対水熱交換器２２Ｂを通過したのち、ファンコイル１１に導かれて、ここに導かれた空気と熱交換をなす。そのあと、水対冷媒熱交換器２２Ａを介して水出口に熱源水循環回路に沿って導かれる。
【００１５】
中間期の冷房もしくは暖房運転時は、給水源から水配管の水入口に導かれる水は、水対水熱交換器２２Ｂを通過したのち、ファンコイル１１に導かれて、ここに導かれた空気と熱交換をなす。そのあと、ファンコイル１１から水対水熱交換器２２Ｂに導くよう三方切換え弁が切換えられ、水入口側の水と熱交換をなしたのち、水対冷媒熱交換器２２Ａを介して水出口に熱源水循環回路に沿って導かれる。  
あるいは、被空調室の室温が設定温度に到達したとき圧縮機２１の運転を停止し、代ってファンコイル１１のみの運転をなすようにしてもよい。このとき、冷房時はクーリングタワーから冷水をファンコイル１１に導き、暖房時にはボイラーから温水をファンコイル１１に導く。送風機１５を継続して駆動することで、冷風もしくは温風が被空調室内へ吹出される。
【００１６】
または、通常はファンコイル１１のみの運転を行い、設定温度と被空調室温度との差が大きくなりファンコイル機能のみでは能力不足になった場合に、圧縮機２１を駆動し冷凍サイクル運転を行って能力を増加する運転をなすようにしてもよい。  
上述したように、この空気調和装置において筐体１内を上部室８Ａと下部前室８Ｂおよび下部後室８Ｃの三室構成となしている。上部室８Ａには、ファンコイル１１と空気熱交換器１２および送風機１５が配置され、下部前室８Ｂに電気部品箱２０が配置され、下部後室８Ｃに圧縮機２１および水熱交換器２２と弁類および配管類が配置される。  
そして、電気部品箱２０は吸込み口３の下方位置に設けられ、ファンコイル１１は電気部品箱２０の上部で、かつ吸込み口３に対向して設けられ、空気熱交換器１２はファンコイル１１の空気流通方向下流側に、ファンコイル１１と並んで設けられ、ファンモータ１６はファンコイル１１および空気熱交換器１２の上方に設けられ、ファンケーシング１８は下端部が空気熱交換器１２の上端部よりも下方位置となるように設けられる。
【００１７】
以上のごとき筐体１内の室構成および構成部品の配置構成により、筐体１内部の簡素化を図れるとともに、筐体１の小型化を得られる。複数台の空気調和装置をユニット内に収容した状態で、ユニットの小型化を図れる。そして、複数ユニットを配置する機械室のスペース低減化をなす。  
特に、送風機１５を構成するファンケーシング１８はファン１７を囲むので大型化が避けられず、上部室８Ａにおいて大きなスペースを占める。ここでは、ファンモータ１６がファンコイル１１と空気熱交換器１２の上方に設けられ、ファンケーシング１８の下端部が空気熱交換器１２の上端部よりも下方位置になるよう位置をずらせた。  
したがって、ファンコイル１１と空気熱交換器１２の必要高さを確保し、ファンケーシング１８の必要スペースを確保できる。空気調和装置としての性能向上を図れるとともに、装置のより小型化を推進できる。
【００１８】
図４は、装置構成の変形例である。先に説明したものと同一部品については同番号を付して新たな説明を省略する。（以下、同じ）  
筐体１内を上下に仕切る水平仕切り板６Ａが、下部前室８Ｂと下部後室８Ｃ前端において、先に図３で示した高さ位置よりも低く設定される。その分、電気部品箱２０と水熱交換器２２の上端面との間隙が短縮されるが、吸込み口３、吸込みグリル２、フィルタ９、ファンコイル１１および空気熱交換器１２のそれぞれ下端部を下方に延長できる。特に、ファンコイル１１と空気熱交換器１２の熱交換面積の増大化を得られ、熱交換効率の向上に寄与する。  
上記水平仕切り板６Ａは、ファンコイル１１と空気熱交換器１２を載置した第１のドレンパン１３の後端部から上方へ折曲され、所定高さで水平方向に延出される。したがって、所定高さの部位に対向して配置される圧縮機２１および、圧縮機２１上端面に接続される吐出管ｂの上端と、上記水平仕切り板６Ａとの間が充分に確保され、これらの筐体１内へのセット作業が容易化する。
【００１９】
図５はさらに異なる装置構成の変形例、図６は第１のドレンパン１３Ａの背面図、図７はドレンガイド６Ｂの平面図である。  
ここでは、ファンコイル１１と空気熱交換器１２を載置する第１のドレンパン１３Ａは、前面側である吸込み口３側の立上り片部ｄ高さが先に説明したものよりも高く設定され、かつ水平に形成される。背面側の立上り片部ｅは両側端において前面側の立上り片部ｄよりもわずかに低く、中央部に向かって下方に傾斜している。中央部において最も低く、かつ半円状の切欠き部２５が設けられる。
【００２０】
上記水平仕切り板６Ｂはドレンガイドとして用いられる。このドレンガイド６Ｂは、第１のドレンパン１３Ａにおける背面側立上り片部ｅの略直下部が最も低くなるように、前端側から斜めに傾斜している。最深部から背面側に向かって斜めに高く傾斜し、所定位置で水平に折曲される。最深部にはドレン回収孔２６が設けられていて、このドレン回収孔２６は上記水熱交換器２２の上端部と対向する位置にあり、したがって水熱交換器２２を載置する第２のドレンパン２３の上方部位に相当する。  
このように構成することで、たとえばファンコイル１１に破水事故が生じた場合に、第１のドレンパン１３Ａは前後の立上り片部ｄ，ｅに高さの差を設けているので、ドレンホースから排出されてもなお溜る水は背面側の立上り片部ｅ上端縁からオーバーフローする。しかも、この立上り片部ｅの中央部に半円状の切欠き部２５を設けたから、オーバーフロー位置を拘束できる。
【００２１】
第１のドレンパン１３Ａからオーバーフローした水は、一旦、ドレンガイド６Ｂに受け入れられるが、このドレンガイド６Ｂの形状からしてドレン回収孔２６に集められ、ここから水熱交換器２２へ流下する。結局、オーバーフローした水は第２のドレンパン２３に集溜され、第２のドレンパン２３に接続されるドレンホースから排水される。このようにして、ドレン回収ルートを確保できるとともに、筐体１内の各室８Ａ，８Ｂ，８Ｃが水浸しになることを防止できて電気部品箱２０内の電気部品を確実に保護する。  
なお、上述した空気調和装置では、全て筐体１内を上下に仕切る水平仕切り板６，６Ａ，６Ｂを備えたが、これに限定されるものではなく、この水平仕切り板を備えていない空気調和装置であっても支障がない。
【００２２】
図８は送風機１５の吊持構造を説明する正面図、図９はファンモータ１６に沿う空気流れの状態を説明する図、図１０は組立てられた送風機１５の側面図、図１１（Ａ）（Ｂ）は送風機１５の組立てを説明する図である。実際には、ファンモータ１６の回転軸ａにファン１７が取付けられているが、図１０を除く各図においては図示していない。  
上述したように、上記送風機１５はファンモータ１６とファン１７およびファン１７を囲むファンケーシング１８とから構成される。上記ファンモータ１６は筐体１の前面側に位置し、ファン１７とファンケーシング１８は筐体１の背面側に位置する。結局、ファンモータ１６とファン１７およびファンケーシング１８の軸方向は、筐体１の前後方向に一致する。
【００２３】
上記ファンモータ１６は、モータベース３１に取付け固定される。すなわち、上記筐体天板部１ａ下面に、筐体１の左右幅方向に所定間隔を存して平行に、筐体１の前後方向に亘って一対の案内レール３０が設けられ、ここにモータベース３１の上端片部がスライド自在に掛止される。上記モータベース３１は、内部にファンモータ１６を収容するよう少なくとも略コ字状に折曲形成され、上面開口部には補強用枠ｆが左右方向に亘って架設される。ファンモータ１６の両側面に設けられる軸受部ｇが、モータベース３１の支持部ｈに支持固定される。  
上記案内レール３０にスライド自在に掛合されるモータベース３１の上端片部において、上記ファンモータ１６の回転軸ａの突出方向とは反対方向の端部に、板片からなる位置決め用ストッパ３２が設けられる。
【００２４】
つぎに、上記送風機１５の組立て工程について説明する。  
図１１（Ａ）に示すように、予め天板部１ａにファンケーシング１８が取付けられている。この状態でモータベース３１に支持されたファンモータ１６を対向する。先に説明したように、ファンケーシング１８は筐体１の背面側に位置していて、ファンモータ１６は筐体１の前面側から筐体上部室８Ａ内に挿入することになる。  
図１１（Ｂ）に示すように、モータベース３１の上端片部を案内レール３０に掛合し、モータベース３１を案内レール３０に沿って筐体１の背面側方向へ押し込む。ファンモータ１６の回転軸ａに嵌着されるここでは図示しないファン１７はファンケーシング１８内に挿入されていく。
【００２５】
図１０に示すように、モータベース３１に設けられる位置決め用ストッパ３２が案内レール３０の端縁に当接することで、モータベース３１のそれ以上の挿入が規制される。すなわち、単純にファンモータ１６をモータベース３１ごと押し込む作業だけで、ファンモータ１６に一体に取付けたファン１７の上記ファンケーシング１８に対する位置が精度よく設定される。  
メンテナンス作業など、必要に応じてファンモータ１６とファン１７を筐体１から取外す場合は、上述した説明とは逆の作業をすればよい。いずれにしてもファンモータ１６の脱着は、筐体１の前面側から作業を行うことができるので作業性がよい。
【００２６】
そして、ファンモータ１６の脱着作業時には、ファンモータ１６の重量を案内レール３０が受け持つため、一人の作業者で容易に実施できる。ファン１７を取付けたファンモータ１６は案内レール３０を介して筐体天板部１ａに取付け固定され、ファンケーシング１８は直接天板部１ａに取付けられるため、組込みバラツキによる回転中心のずれが最小限に抑えられて、安定した送風性能を確保できる。  
位置決め用ストッパ３２によってモータベース３１の位置決めを確実になしたあと、取付けねじを介してモータベース３１を筐体天板部１ａに取付け固定する。モータベース３１と筐体天板部１ａに設けられる取付け用孔を下方から見上げた状態で取付けねじを挿入するが、すでにモータベース３１の位置が正確に出ているので取付けねじに対する作業が容易であり、円滑に行える。
【００２７】
特に図９に示すように、送風機１５を駆動して送風作用を行うと、送風機１５周辺の空気がファンケーシング１８の吸込み口部１８ａに吸込まれる。同時に、ファンモータ１６をモータベース３１で囲んだから、ファンモータ１６周面とモータベース３１との間の空気が吸込み口部１８ａに吸込まれる。  
上記ファンモータ１６の駆動にともなって発生する熱が周辺に放散されるが、モータベース３１がない従来構成ではファンモータ１６の熱がそのまま周辺に留まってしまう。しかしながら、上述したように、ここではファンモータ１６を隙間を介してモータベース３１で囲うので、これらの間から温まった空気が吸込み口部１８ａに流れて排気される。すなわち、ファンモータ１６の周面に設けられる冷却フィンｊ回りの風速を高めることができ、ファンモータ１６を効率よく冷却して熱変換率の改善化を図れる。
【００２８】
図１２は送風機１５を構成するファンケーシング１８の吹出し口部１８ｂを筐体１の右側面板１ｂに取付けて右側吹出しをなす空気調和装置の一部正面図、図１３は送風機１５を構成するファンケーシング１８の吹出し口部１８ｂを筐体１の左側面板１ｃに取付けて左側吹出しをなす空気調和装置の一部正面図である。  
この空気調和装置は先に説明したように、たとえば複数台の空気調和装置を同一の架台内に組み込んで１ユニットとなし、複数ユニットが専用の機械室に配置される。したがって、ユニットの最上段部に配置される空気調和装置もあれば、中段、もしくは最下段に配置される空気調和装置もある。  
先に図１〜図４で説明した空気調和装置は、筐体天板部１ａに吹出しダクト５が接続される構成であるから、架台の最上段部に配置する場合は都合が良いが、中段もしくは最下段に配置する場合は吹出しダクト５が邪魔になってしまう。
【００２９】
そこで、図１２に示すように筐体１の右側面板１ｂに補助ダクト３５を介してファンケーシング１８の吹出し口部１８ｂを接続する。もしくは図１３に示すように筐体１の左側面板１ｃに補助ダクト３５を介してファンケーシング１８の吹出し口部１８ｂを接続する。  
特に図３のように、送風機１５を構成するファンケーシング１８の吹出し口部１８ｂを筐体天板部１ａの吹出し口４に接続し吹出しダクト５と連通する上面吹出しばかりでなく、図１２のような右側面吹出しや、図１３のような左側面吹出しのいずれも選択可能であれば、現地でのダクト設計に合せて吹出し方向の変更が容易化して、作業性の容易化が得られる。  
なお、上面吹出しと、左右側面吹出しのいずれも選択可能とするためには、ファン１７（ファンモータ１６）の回転中心Ｏを同一位置とする必要がある。具体的には、ファン１７の回転中心Ｏが筐体１の左右幅方向の正しく中央にあり、かつこの回転中心Ｏ位置を変えずに、ファンケーシング１８の吹出し口部１８ｂが天板部１ａに接触するように構成しなければならない。  
したがって、図３に示す上面吹出しの場合は、ファンケーシング１８の吹出し口部１８ｂ端面が直接、筐体天板部１ａに取付けられ、図１２および図１３のように右側面吹出しと左側面吹出しの場合は、ファンケーシング１８の吹出し口部１８ｂと側面板１ｂ，１ｃとの間に補助ダクト３５が介在するが、いずれにしてもファン１７の回転中心Ｏは常に同一位置にある。
【００３０】
また、筐体天板部１ａからファン１７の回転中心Ｏまでの距離はファンケーシング１８の曲率半径よりも長く設定されていて、吹出し方向に応じてファンケーシング１８を回動変位しても、ファンケーシング１８が筐体天板部１ａに接触することはない。  
さらに、複数台の空気調和装置を同一の架台内に組み込んで１ユニットとなし、複数ユニットを専用の機械室に配置するようにしたので、空気調和装置の故障の場合は、ユニット毎に交換して対応できる。したがって、空調作用の中断時間がほとんどなくてすみ、故障装置は別途修理を行える。  
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３１】
【図１】本発明の実施の形態に係る、床置きダクトタイプの空気調和装置の正面図。
【図２】同実施の形態に係る、空気調和装置の内部を模式的に示す背面図。
【図３】同実施の形態に係る、空気調和装置の概略側面図。
【図４】同実施の形態の変形例に係る、空気調和装置の概略側面図。
【図５】同実施の形態さらに異なる変形例の、空気調和装置の概略側面図。
【図６】同変形例の、第１のドレンパンの背面図。
【図７】同変形例の、ドレンガイドの平面図。
【図８】同実施の形態に係る、送風機の支持構造を示す正面図。
【図９】同実施の形態に係る、送風機ファンモータに対する冷却空気の流れを説明する図。
【図１０】同実施の形態に係る、送風機の支持構造を示す側面図。
【図１１】同実施の形態に係る、送風機のファンケーシングに対するファンモータの組立て説明図。
【図１２】同実施の形態の変形例に係る、ファンケーシングの取付け構造を示す正面図。
【図１３】さらに異なる変形例の、ファンケーシングの取付け構造を示す正面図。
【符号の説明】
【００３２】
３…吸込み口、４…吹出し口、１…筐体、２０…電気部品箱、２１…圧縮機、１１…ファンコイル、１２…空気熱交換器、１７…ファン、１６…ファンモータ、１５…送風機。
【図１】
0004641228.tif 000002
【図２】
0004641228.tif 000003
【図３】
0004641228.tif 000004
【図４】
0004641228.tif 000005
【図５】
0004641228.tif 000006
【図６】
0004641228.tif 000007
【図７】
0004641228.tif 000008
【図８】
0004641228.tif 000009
【図９】
0004641228.tif 000010
【図１０】
0004641228.tif 000011
【図１１】
0004641228.tif 000012
【図１２】
0004641228.tif 000013
【図１３】
0004641228.tif 000014